(57)【要約】【課題】キッチンキャビネットの開口と本体前面との隙間を覆うカバーを一体感のある外観にし、かつすっきりとした印象のデザイン性に優れていること。【解決手段】キッチンキャビネット２３の前面開口と本体１前面にある開閉式操作ユニット８と上部の隙間を透明の樹脂にシルク印刷を帯状に施した飾り板３０と上端に直線的な凸部を設け、飾り板３０を接着し、本体に取り付けるための飾り板保持部３１からなる飾り枠１９を本体１に取り付けて覆うことにより、外観の品位を保ち、かつ、一体感のあるすっきりとした外観とすることができる。【選択図】図１
2010287315.tif 000002
【特許請求の範囲】
【請求項１】
本体と、前記本体の天面に配された被加熱調理器具を載置する天板と、前記天板の下方に設けられた誘導加熱コイルと、前記誘導加熱コイルに高周波電力を供給する電源回路と、前記本体前面に配置された操作部と、キッチンキャビネット上面及び前面に形成した開口に、前記上面開口部より前記本体を落とし込み、前記キッチンキャビネット上面に形成された開口を覆う本体の天面に配された前記天板と、前記キッチンキャビネット前面に形成された開口に前記本体前面を嵌着し、前記キッチンキャビネット前面開口部と前記本体前面操作部上部との隙間を埋めて覆うための飾り枠を備え、前記飾り枠は透明の樹脂にシルク印刷を帯状に施した飾り板と上端に直線的な凸部を設け、前記飾り板を接着し、前記本体に取り付けるための飾り板保持部で構成される組込式誘導加熱調理器。
【請求項２】
飾り板は、飾り板保持部に取り付けの際、位置ずれを規制するための少なくとも１つの爪部を形成し、前記飾り板保持部には上端凸部と飾り板接着面とにまたがる前記爪部を挿入するための嵌合穴を設けた請求項１に記載の組込式誘導加熱調理器。
【請求項３】
飾り板の爪部を目立たせないよう爪部を飾り板のシルク印刷面に対して段差をつけた構成とした請求項２に記載の組込式誘導加熱調理器。
【請求項４】
本体前面に本体電源スイッチを取り付け飾り板および飾り板保持部に前記本体電源スイッチを嵌合するための穴部を形成した請求項１に記載の組込式誘導加熱調理器。
【請求項５】
本体は、少なくとも１箇所の指が入る程度の凹部を備え、凹部は着脱自在の飾り枠に覆われているため外部に露出しない構成とした請求項１に記載の組込式誘導加熱調理器。
【請求項６】
飾り板保持部に係合突起を設け飾り板には前記飾り板保持部へと伸びるフランジを設け、前記係合突起と前記フランジに設けた係合穴とが係合する構成とし、さらに飾り板の前記フランジ部とは反対側に、前記飾り板保持部を覆うように当接する係合爪を設け、前記飾り板保持部に形成される爪掛部に前記係合爪を係合する構成とした請求項１に記載の組込式誘導加熱調理器。
【請求項７】
本体前面操作部の横にグリルを設け、グリル扉上端部に樹脂製の保護枠を備え、前記保護枠と飾り板保持部の直線的な上端凸部とを略同一高さとした請求項１に記載の組込式誘導加熱調理器。
【発明の詳細な説明】
【技術分野】
【０００１】
本発明は、一般家庭で使用する組込式誘導加熱調理器に関するものである。
【背景技術】
【０００２】
従来、調理器本体をキッチンキャビネットの天板開口部から挿入し、キャビネットの前面開口部に調理器本体の前面をのぞませるように設置した組込式調理器は知られている（例えば、特許文献１参照）。
【０００３】
このような設置方法の場合、本体前面の外形状はキャビネットの前面開口よりも十分に小さい必要あるが、その結果必然的に本体前面の外形と開口との間に隙間が生じる。
【０００４】
本体内の左側に魚焼き用のグリルを備えている場合（例えば、特許文献２参照）は、扉を着脱式にして本体設置後に取り付けることにより、その扉の大きさをキャビネットの前面開口とほぼ同じ大きさにすれば隙間を殆どなくすことができる。
【０００５】
図６は従来の組込式誘導加熱調理器である。本体１右前面の開閉式の操作部ユニット８とキッチンキャビネットの前面開口との隙間については、前面下部の隙間は、通常使用時の斜め上からの目線からは目立たないが、上部や側部の隙間は目立ってしまうので、略Ｌ字形のカバーで取り付けて隙間を塞ぐのが一般的であった。
【０００６】
しかしながら、Ｌ字形のカバー２０は、デザイン的にも自由度が小さく、固定箇所を多く要するため、取り外しにくいという欠点があった。また、Ｌ字形のカバー２０と調理器本体１との間に隙間や段差が生じやすいため、開閉式操作部を有するものでは、操作部前面にキッチンキャビネット前面開口部までを覆う操作部カバー１７を設け、一体感や外観の体裁を保つ工夫がされている（例えば特許文献２、３参照）。
【先行技術文献】
【特許文献】
【０００７】
【特許文献１】特開平１１−１２１１５５号公報
【特許文献２】特開２００９−００２５７１号公報
【特許文献３】特開２００７−０６４５８５号公報
【発明の概要】
【発明が解決しようとする課題】
【０００８】
しかしながら、前記従来の構成では、Ｌ字形のカバー２０は、デザイン的にも自由度が小さく、固定箇所を多く要するため、取り外しにくいという課題を有していた。
【０００９】
本発明は、前記従来の課題を解決するもので、本体前面操作部とキッチンキャビネットの前面開口との間にできる隙間を覆う、簡単構成、かつ、直線的ですっきりとしたデザイン的にも優れた飾り枠を設けた組込式誘導加熱調理器を提供することを目的とする。
【課題を解決するための手段】
【００１０】
前記従来の課題を解決するために、本発明の組込式誘導加熱調理器は、本体と、前記本体の天面に配された被加熱調理器具を載置する天板と、前記天板の下方に設けられた誘導加熱コイルと、前記誘導加熱コイルに高周波電力を供給する電源回路と、前記本体前面に配置された操作部と、キッチンキャビネット上面及び前面に形成した開口に、前記上面開口部より前記本体を落とし込み、前記キッチンキャビネット上面に形成された開口を覆う
本体の天面に配された前記天板と、前記キッチンキャビネット前面に形成された開口に前記本体前面を嵌着し、前記キッチンキャビネット前面開口部と前記本体前面操作部上部との隙間を埋めて覆うための飾り枠を備え、前記飾り枠は透明の樹脂にシルク印刷を帯状に施した飾り板と上端に直線的な凸部を設け、前記飾り板を接着し、前記本体に取り付けるための飾り板保持部で構成されるものである。
【００１１】
この構成により、キッチンキャビネット前面開口部と本体前面操作部との隙間を簡単な構成で埋めることができ、外観の体裁を保つことができる。また、直線的な部材を使用することで一体感があり直線的ですっきりとしたデザイン的にも優れた組込式誘導加熱調理器を提供することができる。
【発明の効果】
【００１２】
本発明の組込式誘導加熱調理器は、キッチンキャビネット前面開口部と本体前面操作部との隙間に、取り付け・取り外しが容易であり、かつ直線的で材質・色調を変えることのできる飾り枠を、前記隙間を覆うように取り付ける構成にしたことにより、簡単な構成でかつ一体感がありすっきりとした見栄えのよい、デザイン的にも優れたものにすることができる。
【図面の簡単な説明】
【００１３】
【図１】本発明の実施の形態１における組込式誘導加熱調理器の全体構成図
【図２】本発明の実施の形態１における組込式誘導加熱調理器の飾り枠の図
【図３】本発明の実施の形態２における組込式誘導加熱調理器の飾り枠の図
【図４】本発明の実施の形態３における組込式誘導加熱調理器の飾り板の図
【図５】本発明の実施の形態４における組込式誘導加熱調理器の飾り枠の図
【図６】従来の組込式誘導加熱調理器の図
【発明を実施するための形態】
【００１４】
第１の発明は、本体と、前記本体の天面に配された被加熱調理器具を載置する天板と、前記天板の下方に設けられた誘導加熱コイルと、前記誘導加熱コイルに高周波電力を供給する電源回路と、前記本体前面に配置された操作部と、キッチンキャビネット上面及び前面に形成した開口に、前記上面開口部より前記本体を落とし込み、前記キッチンキャビネット上面に形成された開口を覆う本体の天面に配された前記天板と、前記キッチンキャビネット前面に形成された開口に前記本体前面を嵌着し、前記キッチンキャビネット前面開口部と前記本体前面操作部上部との隙間を埋めて覆うための飾り枠を備え、前記飾り枠は透明の樹脂にシルク印刷を帯状に施した飾り板と上端に直線的な凸部を設け、前記飾り板を接着し、前記本体に取り付けるための飾り板保持部で構成したことにより、飾り板を飾り板保持部に接着する際、飾り板保持部の凸部で飾り板の位置を規制して接着することができる。また、飾り板保持部の直線的な凸部および帯状にシルク印刷された飾り板により直線的なフォルムになり、よりすっきりとした外観にすることができる。
【００１５】
第２の発明は、特に、第１の発明の飾り板を、飾り板保持部に取り付けの際に位置ずれを規制するための少なくとも１つの爪部を形成し、前記飾り板保持部には上端凸部と飾り板接着面とにまたがる前記爪部を挿入するための嵌合穴を設けたことにより、飾り板保持部の上端凸部による上下方向の位置規制だけではなく、さらに飾り板の爪部により左右の位置を規制することができる。また、嵌合穴を飾り板保持部の上端凸部と飾り板接着面とにまたがるように設けたことにより飾り板の爪部をななめから挿入することができるようになるため、飾り板を飾り板保持部に接着しやすくなる。
【００１６】
第３の発明は、特に、第２の発明の飾り板の爪部を目立たせないよう爪部を飾り板のシルク印刷面に対して段差をつけた構成としたことにより、飾り板にシルク印刷を施す際、
爪部には印刷されないため、飾り板爪部を飾り板保持部の嵌合穴にはめ込み、本体に取り付けた際、透明な飾り板の爪部は取り付け先の色と同色になる。飾り板保持部の色と取り付け先が同一色の場合は、爪部の色は、飾り板保持部の色と同色になるため、簡単な構成で直線的なフォルムを作り出すことができ、すっきりした外観にすることができる。
【００１７】
第４の発明は、特に、第１の発明の本体前面に本体電源スイッチを取り付け、飾り板および飾り板保持部に前記本体電源スイッチを嵌合するための穴部を形成したことにより、飾り枠は、本体前面操作部とキッチンキャビネット前面開口部との隙間を埋める役割だけではなく、本体電源スイッチのカバーとしての役割も果たすことができる。
【００１８】
第５の発明は、特に、第１の発明の本体は、少なくとも１箇所の指が入る程度の凹部を備え、凹部は着脱自在の飾り枠に覆われているため外部に露出しない構成としたことにより、飾り板および飾り板保持部で構成される飾り枠の取り付け・取り外しを容易に行える構成とすることができる。また、飾り板だけの取り外しなどは、本体に取り付けたまま行うのは難しいが、飾り枠を取り外すことで飾り板を飾り板保持部から取り外ししやすくなり、飾り板に傷がついた場合など、飾り板だけを交換することが容易に行うことができる。
【００１９】
第６の発明は、特に、第１の発明において、飾り板保持部に係合突起を設け飾り板には飾り板保持部へと伸びるフランジを設け、前記係合突起と前記フランジに設けた係合穴とが係合する構成とし、さらに飾り板の前記フランジ部とは反対側に、前記飾り板保持部を覆うように当接する係合爪を設け、前記飾り板保持部に形成される爪掛部に前記係合爪を係合する構成としたことにより、接着よりも飾り板と飾り板保持部との着脱が容易にすることができる。そのため、飾り板に傷がついた場合、および色を変えた飾り板を容易に取り替えることができ、数種類の飾り板を自由自在に変化させ、デザインに富んだものにすることができる。
【００２０】
第７の発明は、特に、第１の発明の本体前面操作部の横にグリルを設け、グリル扉上端部に樹脂製の保護枠を備え、前記保護枠と飾り板保持部の直線的な上端凸部とを略同一高さとしたことにより、本体前面にわたって直線的なフォルムをだすことができ、全体的に一体感がありすっきりとした印象の外観にすることができる。
【００２１】
なお、グリル扉上端部の保護枠および飾り板保持部の上端凸部は同一色にするのが望ましい。
【００２２】
以下、本発明の実施の形態について図面を参照しながら説明する。なお、この実施の形態によって本発明が限定されるものではない。
【００２３】
（実施の形態１）
図１は本発明の第１の実施の形態における組込式誘導加熱調理器の全体構成を示すものである。
【００２４】
本体１はキッチンキャビネット２３の上面開口部から落とし込まれて設置されている。また、キッチンキャビネット２３の上面開口部よりも大きい、被加熱調理容器を載置するための天板２と、天板２の下方には（図示していない）誘導加熱コイルと前記誘導加熱コイルに高周波電力を供給して発生する磁界により前記被加熱調理容器を誘導加熱する電源回路と、キッチンキャビネット２３の前面開口部と本体前面操作部８の上部との隙間を埋めて覆うための飾り枠１９を備えている。
【００２５】
ここで、図２は本実施の形態１の組込式誘導加熱調理器に備えられた飾り枠の図であり
、飾り枠は、透明の樹脂にシルク印刷を帯状に施した飾り板３０と上端に直線的な凸部３２を設け、飾り板３０を接着する面３３を有し、本体１に取り付けるための飾り板保持部３１で構成されている。
【００２６】
また、本体１に本体電源スイッチ９を取り付け、飾り板３０および飾り板保持部３１に本体電源スイッチ９を嵌合するための穴部２２を形成している。
【００２７】
さらに、本体１の前面左側には、グリル庫１５を設け、グリル扉１８の上端部に樹脂製のグリル扉保護枠１６を備え、グリル扉保護枠１６と飾り板保持部の直線的凸部３２とを略同一高さとした構成としている。
【００２８】
また、図１に示されるように本体１には少なくとも１箇所の指が入る程度の凹部２１を備え、凹部２１は飾り３０および飾り板保持部３１からなる着脱自在の飾り枠１９に覆われているため外部に露出しない構成としている。
【００２９】
上記構成にすることにより、図２で示されるように飾り板３０を飾り板保持部３１に接着する際、飾り板保持部の直線的凸部３２により飾り板３０の上下の位置を規制して飾り板接着面３３に接着することができる。また、飾り板保持部の直線的凸部３２および帯状にシルク印刷された飾り板３０により直線的なフォルムになり、よりすっきりとした外観にすることができる。
【００３０】
また、本体電源スイッチ９を嵌合するための穴部２２を形成したことにより、飾り枠３０は、本体前面操作部８とキッチンキャビネット２３前面開口部との隙間を埋める役割だけではなく、本体電源スイッチ９のカバーとしての役割も果たすことができる。
【００３１】
さらに、グリル扉１８の上端部に備えられる樹脂製のグリル扉保護枠１６と飾り板保持部３１の直線的凸部３２とを略同一高さにすることにより、本体１前面外観にわたって直線的なフォルムをだすことができ、全体的に一体感がありすっきりとした印象の外観にすることができる。なお、グリル扉保護枠１６および飾り板保持部の直線的凸部３２は同一色にするのが望ましい。
【００３２】
また、本体１に少なくとも１箇所の指が入る程度の凹部２１を形成したことで、飾り枠１９の取り外しを容易に行える構成とすることができ、飾り板３０および飾り枠１９を交換しやすくなり、異なる色の飾り板３０を備えた飾り枠１９を容易に取り付けることができ、デザイン性に富んだものにすることができる。ここで、異なる色とは、明度や彩度が異なる場合を含む。
【００３３】
（実施の形態２）
図３は本発明の第２の実施の形態における組込式誘導加熱調理器の飾り枠を示すものである。
【００３４】
実施の形態１では、飾り板３０は長方形であったが、本実施の形態では、飾り板保持部３１に取り付けの際に位置ずれを規制するための飾り板の爪部３４を形成している。また、飾り板保持部３１には飾り板保持部の直線的凸部３２と飾り板接着面３３とにまたがる飾り板の爪部３４を挿入するための嵌合穴３５を設けている。その他は実施の形態１と同様であるため、説明を省略する。
【００３５】
上記構成にすることにより、飾り板保持部３１の飾り板保持部の直線的凸部３２による上下方向の位置規制だけではなく、さらに飾り板の爪部３４により左右の位置も規制することができる。
【００３６】
また、嵌合穴３５を飾り板保持部の直線的凸部３２のみに設けると飾り板接着面３３に対して平行にスライドして接着しなければならず、テープによる接着などでは接着しづらいが、嵌合穴３５を飾り板保持部の直線的凸部３２と飾り板接着面３３とにまたがるように設けたことにより飾り板の爪部３４をななめから挿入することができるようになるため、飾り板３０を飾り板保持部３１に接着しやすくなる。
【００３７】
（実施の形態３）
図４は本発明の第３の実施の形態における組込式誘導加熱調理器の飾り板を示すものである。
【００３８】
実施の形態２では、飾り板３０はシルク印刷を施すシルク印刷面３６と爪部３４とが同じ面からなっているが、本実施の形態では、飾り板の爪部３４をシルク印刷面３６に対して一段低く段差をつけた構成としている。その他は実施の形態１と同様であるため、説明を省略する。
【００３９】
上記構成にすることにより、飾り板３０にシルク印刷を施す際、飾り板の爪部３４は、シルク印刷面３６よりも一段低いため、シルク印刷面３６のみに印刷され、飾り板の爪部３４には印刷されず、容易に帯状に印刷することが可能となる。また、飾り板の爪部３４を飾り板保持部３１の嵌合穴３５にはめ込み、飾り枠１９を形成し、本体１に取り付けた際、飾り板３０は本来透明であるため、飾り板の爪部３４は取り付け先の色と同色になる。飾り板保持部３１の色と取り付け先が同一色の場合は、飾り板の爪部３４の色は、飾り板保持部３１の色と同色になるため、飾り板保持部の直線的凸部３２と飾り板３０の爪部３４とが同色になり、簡単な構成で直線的なフォルムを作り出すことができ、すっきりした外観にすることができる。
【００４０】
（実施の形態４）
図５は本発明の第４の実施の形態における組込式誘導加熱調理器の飾り枠を示すものである。
【００４１】
実施の形態１では、飾り板３０は両面テープなどの接着により飾り板保持部３１と連結していたが、本実施の形態では、接着に代え、飾り板保持部３１に係合突起３７を設け飾り板３０には飾り板保持部３１へと伸びる飾り板のフランジ３８を設け、係合突起３７と飾り板のフランジ３８に設けた係合穴３９とが係合する構成とし、さらに飾り板のフランジ３８とは反対側に、飾り板保持部３１を覆うように当接する係合爪４０を設け、飾り板保持部３１に形成される爪掛部４１に当接させることにより、飾り板３０と飾り板保持部３１とを連結させる構成とした。その他は実施の形態１と同様であるため、説明を省略する。
【００４２】
上記構成にすることにより、飾り板３０と飾り板保持部３１は、接着よりも着脱が容易にすることができる。
【００４３】
そのため、飾り板に傷がついた場合、および色を変えた飾り板を容易に取り替えることができ、数種類の飾り板を自由自在に変化させ、デザインに富んだものにすることができる。
【産業上の利用可能性】
【００４４】
以上のように、本発明にかかる組込式誘導加熱調理器は、キッチンキャビネット前面開口部と本体前面操作部との隙間に、取り付け・取り外しが容易であり、かつ直線的で材質・色調を変えることのできる飾り枠を、前記隙間を覆うように取り付けることができるの
で、一般家庭で使用するキッチンキャビネットの前面開口部に操作部を配置する組込式加熱調理器等の用途にも適用できる。
【符号の説明】
【００４５】
１  本体
２  天板
３  トップフレーム
８  操作部ユニット
９  本体電源スイッチ
１７  操作部カバー
１９  飾り枠
２２  穴部
２３  キッチンキャビネット
２４  グリル扉把手
２５  側部カバー
３０  飾り板
３１  飾り板保持部
３２  飾り板保持部の直線的凸部
３３  飾り板接着面
３４  飾り板の爪部
３５  嵌合穴
３６  シルク印刷面
３７  係合突起
３８  飾り板のフランジ
３９  係合穴
４０  係合爪
４１  爪掛部
【図１】
2010287315.tif 000003
【図２】
2010287315.tif 000004
【図３】
2010287315.tif 000005
【図４】
2010287315.tif 000006
【図５】
2010287315.tif 000007
【図６】
2010287315.tif 000008